(57)【要約】【課題】室内のインテリア等に適合し室内の目障りとなることなく、居住感の向上を図ることのできる配線カバーを提供する。【解決手段】配線カバー１が、配線を収容するとともに配線の方向を規定する底面体１２及び左右の内壁面体１３，１４を有する内側部材１１と、配線の方向へ沿い当該左右の内壁面体１３，１４を着脱可能に収容する天面体２２及び左右の外壁面体２３，２４を有する外側部材２１との組み合わせから成り、例えば配線に際する被貼付側が壁ｗの壁紙材Ｗである場合、当該外側部材２１の外表面に対し当該壁紙材Ｗと表面が凹凸状になっている同質の壁紙材（模様乃至装飾）２５を施して成る。【選択図】      図１
2004180355.tif 000002
【特許請求の範囲】
【請求項１】
配線を保護するべく収容し、床上、乃至床上方のカーペット上、もしくは壁面や天井に配設する配線カバーにおいて、外表面に相当する側に所要の模様乃至装飾を施し、かつ必要に応じて当該模様乃至装飾に所要の単色乃至は複数色を含ませて成ることを特徴とする配線カバー。
【請求項２】
上記模様乃至装飾が、木目調、大理石調の模様、または上記床や上記カーペット、あるいは上記壁や上記天井の素材自体と同一乃至同一的素材、もしくは上記壁等に貼付される壁紙材等と同一乃至同一的素材で構成されて成る模様乃至装飾であることを特徴とする請求項１記載の配線カバー。
【請求項３】
壁紙材は表面が凹凸状になっている請求項２記載の配線カバー。
【請求項４】
配線の方向を規定する底面体及び左右の内壁面体を有する内側部材と、配線の方向へ沿い当該左右の内壁面体を着脱可能に収容する天面体及び左右の外壁面体を有する外側部材との組み合わせから成り、当該外側部材の外表面に対し上記模様乃至装飾を施して成ることを特徴とする請求項１乃至４のいずれか記載の配線カバー。
【発明の詳細な説明】
【０００１】
【発明の属する技術分野】
本発明は、例えば各種の家電製品や電話端末やパーソナルコンピュータ等の電源線や信号線等の配線を収容して保護するように床上や壁等に沿って配設される配線カバーに関する。
【０００２】
【従来の技術】
従来の配線カバー４０は、一般的に図３に示すように、例えば底面体５２の裏面側に半硬化状の接着剤が塗布（または両面接着テープの貼付等）された内側部材５１を床上や壁（図示せず）等に貼付して底面体５２上の左右の内壁面体５３，５４間に配線（図示せず）を収容し、全体的に白色性を帯びる天面体６２を一体に有する外側部材６１の左右の外壁面体６３，６４で内側部材５１の左右の内壁面体５３，５４を嵌合的に収容することで各配線を保護するとともに各配線の整列と外観上の非視認性を確保し、これによって例えば家屋、事務所内等の室内の雑然さを解消し室内の見栄えを向上している。
【０００３】
【発明が解決しようとする課題】
しかしながら、従来の配線カバー４０においては、各配線の整列が可能であるものの全体的に一般に白色性を帯びて構成されているため、室内の床や壁の色や柄、模様と一致しない場合が多く、室内のインテリア等に適合させることへの配慮が極めて不充分であり、結果として良く目立ち、室内の目障りになることに忍従せざるを得ない場合があるというのが現状であった。
【０００４】
本発明は、上記課題に鑑み成されたものであり、室内のインテリア等に適合し室内の目障りとなることなく、居住感の向上を図ることのできる配線カバーを提供することを目的とする。
【０００５】
【課題を解決するための手段】
上述した課題を解決するため、本発明にあっては、配線３１，３２を保護するべく収容し、床ｆ上、乃至床ｆ上方のカーペット上、もしくは壁ｗ（Ｗ）や天井に配設する配線カバー１において、外表面に相当する側に所要の模様乃至装飾２５を施し、かつ必要に応じて当該模様乃至装飾２５に所要の単色乃至は複数色を含ませて成ることを特徴とする。
上記模様乃至装飾（２５）は、木目調、大理石調の模様、または上記床ｆや上記カーペット、あるいは上記壁ｗや上記天井の素材自体と同一乃至同一的素材、もしくは上記壁ｗ等に貼付される壁紙材Ｗ等と同一乃至同一的素材で構成されて成る模様乃至装飾２５であることを特徴とし、また壁紙材Ｗは表面が凹凸状になっているものとすることができる。
また本案の配線カバー１は、配線３１，３２の方向を規定する底面体１２及び左右の内壁面体１３，１４を有する内側部材１１と、配線３１，３２の方向へ沿い当該左右の内壁面体１３，１４を着脱可能に収容する天面体２２及び左右の外壁面体２３，２４を有する外側部材２１との組み合わせから成り、当該外側部材２１の外表面に対し上記模様乃至装飾２５を施して成ることを特徴とする。
【０００６】
以上のように構成された本発明にあって、配線カバー１の外表面に模様乃至装飾を施す場合、配線カバー１の被貼付側である床ｆや壁ｗ等との相性を最適なものに選定するという技術的思想が見出される。
配線カバー１外表面の模様乃至装飾には、注入成形時の型枠による成形の他、床ｆ、壁ｗと同質性を有し得る印刷技術やシールの貼り付け、カーペットと同一同色の繊維材、もしくは壁紙材２５（Ｗ）の貼り付け等により任意の模様乃至装飾を構成することが可能である。
配線カバー１を例えば壁紙材Ｗの貼られた壁ｗに使用する場合、外側部材２１の外表面側には当該壁紙材Ｗと例えば同一の壁紙材２５が貼付される。使用する場合、内側部材１１を当該壁ｗの壁紙材Ｗ上に貼り付けるとともに内側部材１１の左右の内壁面体１３，１４間に配線３１，３２を収容した状態で、内側部材１１に外側部材２１を押し付けて内側部材１１に対し外側部材２１を嵌め合わせる。壁ｗの壁紙材Ｗと配線カバー１の外観の壁紙材（模様乃至装飾）２５が同一の部材であるから配線カバー１が相性が悪く異常に目立つということがなくなる。
【０００７】
【発明の実施の形態】
以下、図面を参照して本発明の一実施の形態を説明する。図１において、符号１は配線カバーであり、内側部材１１と外側部材２１との組み合わせで内部に配線３１，３２が収容可能な空間が構成されている。
【０００８】
内側部材１１は、幅が例えば約１ｃｍ程度で長さが数１０ｃｍ程度（但しこれより短いものも長いものもある）の寸法にある所謂平板状であって裏面側に両面接着テープＴが貼付（半硬化状の接着剤の塗布でも良い）され更に保護シール（図示せず）が貼付された底面体１２を有し、かつ底面体１２上に所定間隔を有して互いに対向し底面体１２上の長手方向に沿った左右１組の内壁面体１３，１４が設けられて構成されている。内壁面体１３，１４は長手方向の全面が互いに外側に若干突出する如く湾曲されており、全面的に少なくとも長手方向の下方側を支点に可撓性を有している。この可撓性が内側部材１１への後述する外側部材２１の着脱可能の装着を可能にする。
【０００９】
外側部材２１は、内側部材１１の長手方向に沿う天面体２２及び天面体２２の長手方向に沿った両脇側から下方に突出する左右１組の外壁面体２３，２４を一体に備えて側面から見て略コ字状の形状を成して構成されている。外壁面体２３，２４も長手方向の全面が互いに外側に若干突出する如く湾曲されており、この外壁面体２３，２４も必ずしも必要ないが全面的に少なくとも長手方向の上方側（先端の逆側）を支点に可撓性を有している。この可撓性も外側部材２１の内側部材１１への着脱可能の装着を可能にしている。
【００１０】
一方、外側部材２１の天面体２２及び外壁面体２３，２４の外表面側には所要の模様（乃至装飾）２５が施されている。模様（乃至装飾）２５としては、例えば印刷技術やシール等の貼付による木目調の模様、大理石調の模様、または他の装飾的模様、もしくは内側部材１１が貼付される床ｆや床ｆ上のカーペット（図示せず）の素材と同一乃至同一的素材、あるいは内側部材１１が貼付される壁ｗや天井（図示せず）の素材自体と同一乃至同一的素材、もしくは上記壁ｗ等に貼付される壁紙材Ｗ等と同一乃至同一的素材で構成されている。このうち本例では外側部材２１の外表面全体に対し壁ｗの壁紙材Ｗと同一の素材である壁紙材２５を接着剤によって貼付することで対応する場合を採用しており、この壁紙材２５の表面は凹凸状になっており、その凹凸によって模様乃至装飾が形成されている。また外側部材２１の外表面の壁紙材（模様乃至装飾）２５の色関係については、当然に、内側部材１１を貼付する側の壁ｗの壁紙材Ｗの採用色の関係と全く同様の色構成が採用されており、即ち全く同一のものである。
【００１１】
尚、外側部材２１の外表面には、壁紙材２５を貼付して対応するのではなく、あらかじめ外側部材２１の成形時（即ち例えば型枠への溶剤注入固化時等）に外側部材２１の外表面自体に対し上記壁紙材Ｗと色構成をも含め同一的模様乃至装飾を構成するという工法を用いても良い。
【００１２】
次に、図２を用いて本発明の実施の形態の使用の一例について説明すると、先ず内側部材１１の裏面側を壁ｗの壁紙材Ｗに対して上述の両面接着テープＴを介し所要の配線方向を決め貼り付ける。この状態とともに内側部材１１の左右の内壁面体１２，１３の間に２点鎖線で示すように所要数の配線３１，３２を収め、しかる状態で外側部材２１内に内側部材１１を収容すべく外側部材２１に内側部材１１に沿って押圧を加えてゆき、内側部材１１の外側から外側部材２１を被せるべく嵌合させ、これをもって配線カバー１内に各配線３１，３２を収容し保護する。尚、内側部材１１に対し外側部材２１を被せてゆく場合には、外側部材２１の左右の外壁面体２３，２４の先端が少なくとも内側部材１１の左右の内壁面体１３，１４を互いに内側に撓ませ、外側部材２１の押圧移動が完全な深さに至った時点で内側部材１１の左右の内壁面体１３，１４が自らの反発力で復帰し、外側部材２１の左右の外壁面体２３，２４の内側湾曲面に嵌合して双方１１，２１の一体化が成され、少々の外力では分離し得ない状態になる。
【００１３】
尚、本実施の形態の配線カバー１は、直線状に構成された場合を前提に説明されているが、本発明の要旨はこれに限定されるものではなく、湾曲状の構成や、Ｌ字状、Ｔ字状、十字状の構成、もしくは上方に直角等をもって屈曲する構成等のものにおいても対応できることは勿論である。
【００１４】
【発明の効果】
本発明は、以上のように構成されているために、室内の床ｆや壁ｗ、天井等との相性が良く、室内インテリア等に極自然に適合し室内の目障りとなり得ず、このため室内居住感が向上する効果がある。
【００１５】
即ち、これは本発明において、配線３１，３２を保護するべく収容し、床ｆ上、乃至床ｆ上方のカーペット上、もしくは壁ｗ（Ｗ）や天井に配設する配線カバー１の外表面に相当する側に対し所要の模様乃至装飾２５を施し、かつ必要に応じて当該模様乃至装飾２５に所要の単色乃至は複数色を含ませて成るからであり、これによって、配線カバー１の外観と被貼付側である床ｆや壁ｗ（Ｗ）等との相性を最適なものに選定することが可能となる。また、室内の床ｆや壁ｗ（Ｗ）、天井等との相性を高め、配線カバー１が室内インテリア等に極自然に適合する環境を現出して配線カバー１が室内の目障りとなる欠点を改善し、これにより室内居住感覚を向上させるという効果が生じるのである。
【００１６】
配線カバー１外表面の模様乃至装飾（２５）には、注入成形時の型枠による成形の他、床ｆ、壁ｗと同質の印刷技術やシールの貼り付け、カーペットと同一同色の繊維材の貼り付け、もしくは実際使用上の壁紙材２５の貼り付け等により任意の模様乃至装飾２５を構成することが可能であるため、上述の効果に加えて、高コストを要することなく生産性が良く、従って大量生産や多品種少ロット生産にも好適であり、この結果、多くの形態の家屋、事務所等の室内に困難なく容易に対応することができ、今後の多様なデザインの建築物が増加する新たな時代への対応が容易で、各所からの要望に応え得るものであり一般への普及が待望される利点がある。
【００１７】
配線カバー１を例えば壁紙材Ｗの貼られた壁ｗに使用する場合、外側部材２１の外表面側には当該壁紙材Ｗと例えば同一の壁紙材２５を貼付し、内側部材１１を当該壁ｗの壁紙材Ｗ上に貼り付けるとともに内側部材１１の左右の内壁面体１３，１４間に配線３１，３２を収容した状態で、外側部材２１を押し付けて嵌め合わせるという作業性の良さに対し全く悪影響がないのである。特に、壁紙材Ｗの表面が凹凸状になっているから、壁ｗの壁紙材Ｗと配線カバー１の外観の模様（装飾）２５が同一の部材であることと相俟ち、建築物である室内の細かな部分に対しても行き届いた配慮を成し、このため上述の効果に加えて室内の高級感等の演出にも最良であり多様な高級室内に対し好感をもたせる利点がある。
【００１８】
尚、本発明の配線カバー１は室外の壁や屋根等に対しても適用することが可能であることは言うまでもなく、その場合も上述と同様の効果が得られる。
【図面の簡単な説明】
【図１】本発明の一実施の形態の構成を示す斜視図である。
【図２】同じく分解斜視図である。
【図３】従来の技術を示す斜視図である。
【符号の説明】
１…配線カバー
１１…内側部材                        １２…底面体
１３…内壁面体                        １４…外壁面体
２１…外側部材                        ２２…天面体
２３…外壁面体                        ２４…外壁面体
２５…壁紙材（模様、装飾）
３１…配線                            ３２…配線
ｆ…床                                ｗ…壁
Ｗ…壁紙材                            Ｔ…両面接着テープ
４０…配線カバー
５１…内側部材                        ５２…底面体
５３…内壁面体                        ５４…内壁面体
６１…外側部材                        ６２…天面体
６３…外壁面体                        ６４…外壁面体
【図１】
2004180355.tif 000003
【図２】
2004180355.tif 000004
【図３】
2004180355.tif 000005